(57)【要約】【課題】必要な部分だけを加熱したり、全体を加熱したりするのを簡単に切り替えて使用できて用途に応じて便利に使用できる空間の加熱装置を提供する。【解決手段】空間１内に放熱パネル体２を空間１内を仕切るように配置する。前記放熱パネル体２に設けた隣り合う仕切り空間を連通させる開口部３を開閉するルーバー４を前記放熱パネル体２に開閉自在に装着する。【選択図】        図６
2005274014.tif 000002
【特許請求の範囲】
【請求項１】
空間内に放熱パネル体を空間内を仕切るように配置し、前記放熱パネル体に設けた隣り合う仕切り空間を連通させる開口部を開閉するルーバーを前記放熱パネル体に開閉自在に装着したことを特徴とする空間の加熱装置。
【請求項２】
前記空間内を水平方向に仕切るように放熱パネル体を配置したことを特徴とする請求項１記載の空間の加熱装置。
【請求項３】
前記空間としての乾燥室内を仕切る放熱パネル体を棚としたことを特徴とする請求項２記載の空間の加熱装置。
【請求項４】
前記空間内を鉛直方向に仕切るように放熱パネル体を配置したことを特徴とする請求項１記載の空間の加熱装置。
【請求項５】
前記空間としての部屋内を仕切る放熱パネル体をパーティションとしたことを特徴とする請求項４記載の空間の加熱装置。
【請求項６】
放熱パネル体を両端のヘッダー管とこのヘッダー管間に架設した複数本の平行な放熱管とで構成し、ルーバーを放熱管に回転自在に装着して放熱管間の開口部を開閉自在にしたことを特徴とする請求項１乃至請求項５のいずれかに記載の空間の加熱装置。
【請求項７】
放熱パネル体を両端のヘッダー管とこのヘッダー管間に架設した複数本の平行な放熱管とで構成し、ルーバーを放熱管に一体に装着すると共に放熱管をヘッダー管に対して回転自在に連結して放熱管間の開口部を開閉自在にしたことを特徴とする請求項１乃至請求項５のいずれかに記載の空間の加熱装置。
【発明の詳細な説明】
【技術分野】
【０００１】
本発明は、乾燥室や暖房する部屋等の空間を加熱する構造に関するものである。
【背景技術】
【０００２】
近年、雨や雪の日に帰宅したときにレインコートや靴等の処理をするために玄関に玄関クローゼットを設けることが行われている（例えば、特許文献１参照）。この玄関クローゼットは内部に収納したものと乾燥するために内部にパネルヒータや除湿機が設置されている。
【特許文献１】特開２０００−２７４２１号公報
【発明の開示】
【発明が解決しようとする課題】
【０００３】
ところで、上記のように収納空間に収納したものを乾燥するためにパネルヒータのような加熱手段を内装してあり、加熱手段で収納空間内を加熱するようになっているが、収納空間全体を加熱するようになっているため、乾燥する必要のないものまで加熱して傷めるという問題があると共にエネルギー的に無駄が多いという問題があった。
【０００４】
本発明は上記の従来の問題点に鑑みて発明したものであって、必要な部分だけを加熱したり、全体を加熱したりするのを簡単に切り替えて使用できて用途に応じて便利に使用できる空間の加熱装置を提供することを課題とするものである。
【課題を解決するための手段】
【０００５】
上記課題を解決するために本発明の空間の加熱装置は、空間１内に放熱パネル体２を空間１内を仕切るように配置し、前記放熱パネル体２に設けた隣り合う仕切り空間を連通させる開口部３を開閉するルーバー４を前記放熱パネル体２に開閉自在に装着したことを特徴とする。
【０００６】
上記のように構成したことにより、ルーバー４を開閉することで隣り合う仕切り空間を開口部３を介して連通させたり、隣り合う仕切り空間の連通を遮断したりでき、全体の空間１に空気を循環させて全体を加熱したり、仕切った仕切り空間だけを加熱したりする切り換えが容易にできる。これにより、用途に応じて必要な部分だけ加熱して便利且つ短時間で加熱できると共にエネルギー的にも無駄をなくすことができる。
【０００７】
また空間１内を水平方向に仕切るように放熱パネル体２を配置したことを特徴とすることも好ましい。空間１を放熱パネル体２にて上下に仕切ることができ、用途の応じて上下の空間の必要な部分だけを加熱することができる。
【０００８】
また前記空間１としての乾燥室１ａ内を仕切る放熱パネル体２を棚としたことを特徴とすることも好ましい。乾燥室１ａ内を加熱する放熱パネル体２に棚の機能を持たせることができて部材点数を削減することができると共に構造を簡単にできる。
【０００９】
また前記空間１内を鉛直方向に仕切るように放熱パネル体２を配置したことを特徴とすることも好ましい。空間１を左右に仕切ることができ、用途に応じて左右の空間の必要な部分だけを加熱することができる。
【００１０】
また前記空間１としての部屋１ｂ内を仕切る放熱パネル体２をパーティションとしたことを特徴とすることも好ましい。この場合、部屋１ｂ内を加熱する放熱パネル体２にパーティションの機能を持たせることができて部材点数を削減することができると共に構造を簡単にできる。
【００１１】
また放熱パネル体２を両端のヘッダー管２ａとこのヘッダー管２ａ間に架設した複数本の平行な放熱管２ｂとで構成し、ルーバー４を放熱管２ｂに回転自在に装着して放熱管２ｂ間の開口部３を開閉自在にしたことを特徴とすることも好ましい。ルーバー４を放熱管２ｂの周りに回転自在に装着するだけでルーバー４を開閉自在に設けることができ、ルーバー４を簡単な構造で開閉自在にできる。
【００１２】
また放熱パネル体２を両端のヘッダー管２ａとこのヘッダー管２ａ間に架設した複数本の平行な放熱管２ｂとで構成し、ルーバー４を放熱管２ｂに一体に装着すると共に放熱管２ｂをヘッダー管２ａに対して回転自在に連結して放熱管２ｂ間の開口部３を開閉自在にしたことを特徴とすることも好ましい。放熱管２ｂにルーバー４を一体に装着して放熱管２ｂをヘッダー管２ａに対して回転自在に連結するだけでルーバー４を簡単な構造で開閉自在にできる。
【発明の効果】
【００１３】
本発明は叙述の如く構成されているので、ルーバーを開閉することで隣り合う仕切り空間を開口部を介して連通させたり、隣り合う仕切り空間の連通を遮断したりでき、全体の空間に空気を循環させて全体を加熱したり、仕切った仕切り空間にだけを加熱したりする切り換えが容易にできるものであって、用途に応じて必要な部分だけ加熱して便利且つ短時間で加熱できると共にエネルギー的にも無駄をなくすことができるという効果を奏し得るものである。
【発明を実施するための最良の形態】
【００１４】
以下、本発明を添付図面に示す実施形態に基いて説明する。
【００１５】
放熱パネル体２は、本例の場合、温水のような加熱液体を循環させることにより放熱にて加熱するものであって、図１に示すように両端のヘッダー管２ａと両端のヘッダー管２ａと直交するように配置した複数本の放熱管２ｂとで構成されており、ヘッダー管２ａと放熱管２ｂとを連通させてある。この放熱パネル体２の複数本の放熱管２ｂの間は開口部３となっている。
【００１６】
本発明の放熱パネル体２の場合、ルーバー４が取り付けられており、ルーバー４にて開口部３が図２（ａ）（ｂ）に示すように開閉自在になっている。図２（ａ）はルーバー４を開いた状態でこの状態から図２（ａ）の矢印のようにルーバー４を回転することで図２（ｂ）に示すように開口部３を閉じることができるようになっている。このルーバー４は熱伝導率が低くて断熱性のある材料にて形成されている方が好ましく、例えば合成樹脂等で形成されている。ルーバー４は放熱管２ｂに取り付けられ、放熱管２ｂの全長に亙る長さに形成されており、閉じると開口部３が長手方向全長に亙って閉塞されるようになっている。このルーバー４は開口部３を閉塞する板状部４ａと放熱管２ｂに巻き付ける円環状の巻き付け部４ｂとを一体に設けて形成されており、図３（ａ）（ｂ）（ｃ）の種々の形状のものが考えられる。図３（ａ）に示すものは巻き付け部４ｂに対して接線方向の一方向に板状部４ａを連出するような形状に形成されており、図３（ｂ）に示すものものは巻き付け部４ｂに対して接線方向の二方向に板状部４ａを連出するような形状に形成されており、図３（ｃ）に示すものは巻き付け部４ｂに対して直交する二方向に板状部４ａを連出するような形状に形成されている。
【００１７】
このルーバー４は放熱管２ｂに開閉自在に取り付けられるのであるが、図４の例の場合、巻き付け部４ｂを放熱管２ｂの外周に回転自在になるように遊嵌してある。これにより放熱管２ｂの回りでルーバー４が回転して開口部３を開閉するようになっている。このルーバー４の巻き付け部４ｂの一部は放熱管２ｂの長手方向の全長に亙っているのでなく、長手方向に適当な間隔を隔てて部分的に設けてある。これにより放熱管２ｂからの片面方向への放熱を妨げないようになっている。一方、ルーバー４は閉じたとき、開口部３を閉塞するのみならず、上記片面と反対の他面方向への放熱を遮断するようになっている。また図５の例では巻き付け部４ｂを放熱管２ｂに一体に装着してあり、放熱管２ｂをヘッダー管２ａに回転自在に連結してある。つまり、ヘッダー管２ａから接続筒５を突設してあり、放熱管２ｂの端部を接続筒５に回転自在に被嵌してある。また放熱管２ｂの端部から止めねじ６を螺合してあり、接続筒５の外周に凹設した係止溝７に止めねじ６の先端を摺動自在に係止してある。接続筒５の外周にはリング状の凹溝８を設けてあり、この凹溝８にＯリング９を嵌めて装着してあり、Ｏリング９にて接続筒５と放熱管２ｂとの間のシールをしてある。
【００１８】
この放熱パネル体２は乾燥室１ａ、部屋１ｂ等の空間１内を仕切るように設置され、空間１内を加熱するようになっている。図６に示す例では乾燥室１ａ内に乾燥室１ａ内を上下に仕切るように放熱パネル体２を水平に配置してあり、上部収納部１０と下部収納部１１とを形成してある。この上部収納部１０と下部収納部１１との間に水平に架設するように設けた放熱パネル体２は棚の機能も果たすようになっている。本例の場合、下部収納部１１の底部に放熱パネル体２′を配置してある。この放熱パネル体２′もヘッダー管２ａと放熱管２ｂとで構成されているが、ルーバー４は設けていない。また上部収納部１０の天井部には換気扇１２を設けてある。
【００１９】
この乾燥室１ａには例えば布団等が収納されるが、図６（ａ）に示すように棚となる放熱パネル体２のルーバー４を開放した状態で換気扇１２を駆動すると、図６（ａ）の矢印ａ，ｂ，ｃに示すように下部収納部１１から上部収納部１０を経て換気扇１２に至るように通気される。このとき放熱パネル体２や放熱パネル体２′に温水のような加熱液体を流して放熱により温風を通気することで上部収納部１０及び下部収納部１１に収納したものを効果的に乾燥することができる。
【００２０】
また図６（ｂ）に示すように棚となる放熱パネル体２のルーバー４を閉塞した状態で換気扇１２を駆動すると、図６（ｂ）の矢印ｂ，ｃに示すように上部収納部１０から換気扇１２に至るように通気される。この状態で放熱パネル体２や放熱パネル体２′に温水のような加熱液体を流して放熱すると、図６（ｂ）の矢印ｄに示すように放熱パネル体２，２′から放熱された熱が循環して下部収納部１１内に収納したものが温められる。これにより上部収納部１０は乾燥だけに使い、下部収納部１１は温めに使うというように使い分けることができる。
【００２１】
また図７の例では部屋１ｂ内を左右に仕切るように放熱パネル体２を鉛直に配置してあり、２つの区画室１３，１４を形成してある。この区画室１３と区画室１４との間に鉛直方向に立設した放熱パネル体２はパーティションの機能も果たすようになっている。このパーティションの機能を果たす放熱パネル体２は上端及び下端がアジャスター１５で天井１６や床１７に設置できるようになっている。
【００２２】
図７（ａ）に示すようにパーティションとなる放熱パネル体２のルーバー開放すると、図７の矢印ｅ，ｆに示すように空気が通気され、このとき、放熱パネル体２に温水のような加熱液体を流して放熱すると、２つの区間室１３，１４が暖房される。また図７（ｂ）に示すようにパーティションとなる放熱パネル体２のルーバー４を閉塞すると、区画室１３と区画室１４で夫々独立して矢印ｇや矢印ｈのように空気が対流するようになり、放熱パネル体２に温水のような加熱液体を流して放熱すると、区画室１３または区画室１４が暖房される。
【００２３】
図７に示す例は具体的には一方の区画室１２は玄関室であり、他方の区画室１４は居間であり、ルーバー４を開放すると、玄関室及び居間が暖房されるようになっており、ルーバー４を閉塞すると居間だけが暖房されるようになっている。
【００２４】
また他の例としては一方の区画室１２は洗面室であり、他方の区画室１３が脱衣室であってもよく、ルーバー４を開放すると洗面室と脱衣室とが暖房され、ルーバー４を閉塞すると洗面室だけが暖房されるようにしたりできる。この区画室１２と区画室１３としてはその他、ダイニングと居間の組み合せでもその他の組み合せでもよい。
【００２５】
なお、上記例では空間１として乾燥室１ａや部屋１ｂを放熱パネル体２で仕切るものについて述べたが、押し入れやクローゼットやその他のものを仕切るものでもよい。
【図面の簡単な説明】
【００２６】
【図１】本発明の実施の形態の一例のルーバーを設けた放熱パネル体を示す斜視図である。
【図２】（ａ）は同上のルーバーを開いた状態の一部拡大斜視図、（ｂ）は同上のルーバーを閉じた状態の斜視図である。
【図３】（ａ）（ｂ）（ｃ）はルーバーの形状を説明する概略断面図である。
【図４】同上のルーバーを開閉自在にする一例を説明する断面図である。
【図５】同上のルーバーを開閉自在にする他の例を説明する断面図である。
【図６】（ａ）（ｂ）は同上の乾燥室に実施した状態を説明する斜視図である。
【図７】（ａ）（ｂ）は同上の部屋に実施した状態を説明する斜視図である。
【符号の説明】
【００２７】
１  空間
１ａ  乾燥室
１ｂ  部屋
２  放熱パネル体
２ａ  ヘッダー管
２ｂ  放熱管
３  開口部
４  ルーバー
【図１】
2005274014.tif 000003
【図２】
2005274014.tif 000004
【図３】
2005274014.tif 000005
【図４】
2005274014.tif 000006
【図５】
2005274014.tif 000007
【図６】
2005274014.tif 000008
【図７】
2005274014.tif 000009